(57)【要約】【課題】防水性を高めた音響再生装置を提供する。【解決手段】樹脂材を用いて上下方向に少なくとも２つ以上に分割された複数のケース１２〜１４が分離可能に一体的に組み立てられた際に浴槽（又は水槽）２内の浴湯（又は水）３中にフローティング可能とされ、且つ、ケース同士が互いに対向する各外周対向面の間に浴湯（又は水）３を侵入させるための隙間Ｓを形成した防水ケース１１と、防水ケース１１内に取り付けられ、オーディオデータを再生するスピーカユニット１５と、複数のケース１２〜１４のうちで互いに対向する各ケースの各外周対向面の内側に形成された各外周内側凹部に沿って嵌め込まれ、且つ、隙間Ｓと対向する側に向かってＵ字状に形成されて隙間Ｓから侵入した浴湯（又は水）３の圧力によって各外周内側凹部に密着するように弾性変位するＵ字部４０ｂにより防水ケース１１内を防水するＵ字型防水パッキング材４０と、を備えた。【選択図】図８
2008160378.tif 000002
【特許請求の範囲】
【請求項１】
樹脂材を用いて上下方向に少なくとも２つ以上に分割された複数のケースが分離可能に一体的に組み立てられた際に浴槽（又は水槽）内の浴湯（又は水）中にフローティング可能とされ、且つ、ケース同士が互いに対向する各外周対向面の間に前記浴湯（又は水）を侵入させるための隙間を形成した防水ケースと、
前記防水ケース内に取り付けられ、オーディオデータを再生するスピーカユニットと、
前記複数のケースのうちで互いに対向する各ケースの各外周対向面の内側に形成された各外周内側凹部に沿って嵌め込まれ、且つ、前記隙間と対向する側に向かってＵ字状に形成されて該隙間から侵入した前記浴湯（又は水）の圧力によって前記各外周内側凹部に密着するように弾性変位するＵ字部により前記防水ケース内を防水するＵ字型防水パッキング材と、
を備えたことを特徴とする音響再生装置。
【請求項２】
樹脂材を用いて上下方向に少なくとも２つ以上に分割された複数のケースが分離可能に一体的に組み立てられた際に浴槽（又は水槽）内の浴湯（又は水）中にフローティング可能とされた防水ケースと、
前記防水ケース内に取り付けられ、オーディオデータを再生するスピーカユニットと、
前記防水ケース内に照明用として設けられたＬＥＤと、
前記複数のケースのうちで前記浴湯（又は水）に対する喫水線よりも上方のケースの外周下端部に沿って平板型防水パッキング材を介してリング状に取り付けられ、且つ、前記ＬＥＤから出射された光で前記防水ケースの外部を照明するリング状レンズと、
前記リング状レンズと、前記複数のケースのうちで前記喫水線よりも下方のケースとが互いに対向する各外周対向面の間に前記浴湯（又は水）を侵入させるための隙間を形成した上で、前記各外周対向面の内周側に形成された各外周内側凹部に嵌め込まれ、且つ、前記隙間と対向する側に向かってＵ字状に形成されて該隙間から侵入した前記浴湯（又は水）の圧力によって前記各外周内側凹部に密着するように弾性変位するＵ字部により前記防水ケース内を防水するＵ字型防水パッキング材と、
を備えたことを特徴とする音響再生装置。
【請求項３】
樹脂材を用いて上下方向に少なくとも２つ以上に分割された複数のケースが分離可能に一体的に組み立てられた際に浴槽（又は水槽）内の浴湯（又は水）中にフローティング可能とされた防水ケースと、
前記防水ケース内に取り付けられ、オーディオデータを再生するスピーカユニットと、
前記複数のケースのうちで互いに対向する各ケースの各外周対向面の内側に形成された各外周内側凹部に沿って嵌め込まれて前記防水ケース内を防水する防水パッキング材と、を備え、
前記複数のケースのうちで前記浴湯（又は水）に対する喫水線よりも上方のケースの外側を略凸曲面状を形成し、
一方、前記複数のケースのうちで前記喫水線よりも下方のケースの外側を略円錐状に形成すると共に、前記略円錐状の外周上方部位とこれより下方の外周下方部位との間を細くくびらせて凹曲面状とし、更に、前記略円錐状の下端部位を半径が小さい凸曲面状としたことを特徴とする音響再生装置。
【請求項４】
前記略凸曲面状を形成した前記上方のケースは、略平坦に形成した中央頂点部位の裏面に前記スピーカユニットを取り付け、且つ、前記中央頂点部位に連接して凸曲面部を形成する共に、前記凸曲面部の一部を所定の面積だけ凹ませて操作パネル面を形成し、この操作パネル面上の操作パネルを覆う操作パネルカバーを前記凸曲面部と略同じ曲率で開閉自在に取り付けたことを特徴とする請求項３記載の音響再生装置。
【請求項５】
前記操作パネルカバーと前記操作パネル面とを紐で連結し、且つ、前記操作パネルカバーの閉蓋時に前記操作パネルカバーを前記操作パネル面側に磁気吸着させることを特徴とする請求項４記載の音響再生装置。
【請求項６】
防水ケース内にスピーカユニットを取り付けて、浴槽（又は水槽）内にフローティングさせながら前記スピーカユニットを介して音楽を再生する音響再生装置において、
前記防水ケース内に、ディジタルオーディオデータを入力するＵＳＢ端子と、前記ＵＳＢ端子を介して入力した前記ディジタルオーディオデータを格納するメモリと、前記メモリに格納された前記ディジタルオーディオデータをアナログオーディオデータに変換して該アナログオーディオデータを前記スピーカユニットに印加する信号処理部とを備えたことを特徴とする音響再生装置。
【請求項７】
前記防水ケースの下方部位を付属のスタンドに支持させて、室内で使用可能にしたことを特徴とする請求項１〜請求項６のうちいずれか１項記載の音響再生装置。
【発明の詳細な説明】
【技術分野】
【０００１】
本発明は、防水ケース内にスピーカユニットを取り付けた状態で浴槽内にフローティングさせながら音楽を再生でき、且つ、付属のスタンドを用いれば室内でも音楽を再生できるように構成した音響再生装置に関するものである。
【背景技術】
【０００２】
防水ケース内にスピーカユニットを取り付けた状態で浴槽内にフローティングさせながら音楽を再生できる音響再生装置がある（例えば、特許文献１参照）。
【特許文献１】特開２００５−１６７５６５号公報。
【０００３】
上記した特許文献１に開示された従来の音響再生装置では、ここでの図示を省略するものの、防水ケース内の下部に低音用スピーカユニットが取り付けられていると共に、防水ケース内の上部に中高音用スピーカユニットと信号入力装置とが取り付けられている。
【０００４】
そして、従来の音響再生装置を浴槽内にフローティングさせた時に、低音用スピーカユニットの駆動により浴槽内の浴湯を振動させて入浴者にボディーソニック効果を与え、且つ、中高音用スピーカユニットの駆動による浴室内の空気振動により中高音の音をリラックスして楽しめるようになっている。
【発明の開示】
【発明が解決しようとする課題】
【０００５】
ところで、上記した特許文献１に開示された従来の音響再生装置によれば、前述したように、低音用スピーカユニットの駆動によるボディーソニック効果と、中高音用スピーカユニットの駆動による中高音再生とが得られるものの、従来の音響再生装置に対して浴槽内で防水性を高めると共に安定にフローティングさせる技術的思想に関して具体的な開示がなされてなく、防水ケースが単に概念的に示されているにすぎない。
【０００６】
また、従来の音響再生装置において、防水ケース内の上部に取り付けた信号入力装置は、
ＣＤプレーヤやＭＤプレーヤなどを含めたディスクプレーヤ全般、又は、テープレコーダ，ラジオ，その他の小型受信機などを用いているために、従来の音響再生装置の全体重量が重くなり、これに伴って防水ケースも大型化してしまうので、従来の音響再生装置を浴槽内に安定にフローティングさせにくくなるなどの問題点がある。
【０００７】
更に、従来の音響再生装置を浴室内で使用する以外に、室内で使用する場合の使用形態について何らの考慮もされていない。
【０００８】
そこで、浴槽（又は水槽）内の浴湯（又は水）に対して防水性を高めた上でスピーカユニットを内蔵した防水ケースを小型軽量化でき、且つ、浴槽（又は水槽）内で安定にフローティングでき、更に、浴槽（又は水槽）内での使用と室内での使用とを兼務できる構造形態の音響再生装置が望まれている。
【課題を解決するための手段】
【０００９】
本発明は上記課題に鑑みてなされたものであり、請求項１記載の発明は、樹脂材を用いて上下方向に少なくとも２つ以上に分割された複数のケースが分離可能に一体的に組み立てられた際に浴槽（又は水槽）内の浴湯（又は水）中にフローティング可能とされ、且つ、ケース同士が互いに対向する各外周対向面の間に前記浴湯（又は水）を侵入させるための隙間を形成した防水ケースと、
前記防水ケース内に取り付けられ、オーディオデータを再生するスピーカユニットと、
前記複数のケースのうちで互いに対向する各ケースの各外周対向面の内側に形成された各外周内側凹部に沿って嵌め込まれ、且つ、前記隙間と対向する側に向かってＵ字状に形成されて該隙間から侵入した前記浴湯（又は水）の圧力によって前記各外周内側凹部に密着するように弾性変位するＵ字部により前記防水ケース内を防水するＵ字型防水パッキング材と、
を備えたことを特徴とする音響再生装置である。
【００１０】
また、請求項２記載の発明は、樹脂材を用いて上下方向に少なくとも２つ以上に分割された複数のケースが分離可能に一体的に組み立てられた際に浴槽（又は水槽）内の浴湯（又は水）中にフローティング可能とされた防水ケースと、
前記防水ケース内に取り付けられ、オーディオデータを再生するスピーカユニットと、
前記防水ケース内に照明用として設けられたＬＥＤと、
前記複数のケースのうちで前記浴湯（又は水）に対する喫水線よりも上方のケースの外周下端部に沿って平板型防水パッキング材を介してリング状に取り付けられ、且つ、前記ＬＥＤから出射された光で前記防水ケースの外部を照明するリング状レンズと、
前記リング状レンズと、前記複数のケースのうちで前記喫水線よりも下方のケースとが互いに対向する各外周対向面の間に前記浴湯（又は水）を侵入させるための隙間を形成した上で、前記各外周対向面の内周側に形成された各外周内側凹部に嵌め込まれ、且つ、前記隙間と対向する側に向かってＵ字状に形成されて該隙間から侵入した前記浴湯（又は水）の圧力によって前記各外周内側凹部に密着するように弾性変位するＵ字部により前記防水ケース内を防水するＵ字型防水パッキング材と、
を備えたことを特徴とする音響再生装置である。
【００１１】
また、請求項３記載の発明は、樹脂材を用いて上下方向に少なくとも２つ以上に分割された複数のケースが分離可能に一体的に組み立てられた際に浴槽（又は水槽）内の浴湯（又は水）中にフローティング可能とされた防水ケースと、
前記防水ケース内に取り付けられ、オーディオデータを再生するスピーカユニットと、
前記複数のケースのうちで互いに対向する各ケースの各外周対向面の内側に形成された各外周内側凹部に沿って嵌め込まれて前記防水ケース内を防水する防水パッキング材と、を備え、
前記複数のケースのうちで前記浴湯（又は水）に対する喫水線よりも上方のケースの外側を略凸曲面状を形成し、
一方、前記複数のケースのうちで前記喫水線よりも下方のケースの外側を略円錐状に形成すると共に、前記略円錐状の外周上方部位とこれより下方の外周下方部位との間を細くくびらせて凹曲面状とし、更に、前記略円錐状の下端部位を半径が小さい凸曲面状としたことを特徴とする音響再生装置である。
【００１２】
また、請求項４記載の発明は、請求項３記載の音響再生装置において、
前記略凸曲面状を形成した前記上方のケースは、略平坦に形成した中央頂点部位の裏面に前記スピーカユニットを取り付け、且つ、前記中央頂点部位に連接して凸曲面部を形成する共に、前記凸曲面部の一部を所定の面積だけ凹ませて操作パネル面を形成し、この操作パネル面上の操作パネルを覆う操作パネルカバーを前記凸曲面部と略同じ曲率で開閉自在に取り付けたことを特徴とする音響再生装置である。
【００１３】
また、請求項５記載の発明は、請求項４記載の音響再生装置において、
前記操作パネルカバーと前記操作パネル面とを紐で連結し、且つ、前記操作パネルカバーの閉蓋時に前記操作パネルカバーを前記操作パネル面側に磁気吸着させることを特徴とする音響再生装置である。
【００１４】
また、請求項６記載の発明は、防水ケース内にスピーカユニットを取り付けて、浴槽（又は水槽）内にフローティングさせながら前記スピーカユニットを介して音楽を再生する音響再生装置において、
前記防水ケース内に、ディジタルオーディオデータを入力するＵＳＢ端子と、前記ＵＳＢ端子を介して入力した前記ディジタルオーディオデータを格納するメモリと、前記メモリに格納された前記ディジタルオーディオデータをアナログオーディオデータに変換して該アナログオーディオデータを前記スピーカユニットに印加する信号処理部とを備えたことを特徴とする音響再生装置である。
【００１５】
更に、請求項７記載の発明は、前記防水ケースの下方部位を付属のスタンドに支持させて、室内で使用可能にしたことを特徴とする請求項１〜請求項６のうちいずれか１項記載の音響再生装置である。
【発明の効果】
【００１６】
請求項１記載の音響再生装置によると、樹脂材を用いて上下方向に少なくとも２つ以上に分割された複数のケースを分離可能に一体的に組み立てた防水ケース内にスピーカユニットを取り付けた状態でこの防水ケースを浴槽（又は水槽）内の浴湯（又は水）中にフローティングさせる際に、複数のケースのうちで互いに対向する各ケースの各外周対向面の内側に形成された各外周内側凹部に沿ってＵ字型防水パッキング材を嵌め込んでいるために、このＵ字型防水パッキング材によって防水ケース内を確実に防水することができるので、音響再生装置の信頼性を向上させることができる。
【００１７】
また、請求項２記載の音響再生装置によると、樹脂材を用いて上下方向に少なくとも２つ以上に分割された複数のケースを分離可能に一体的に組み立てた防水ケース内にスピーカユニットとＬＥＤとを取り付けた状態でこの防水ケースを浴槽（又は水槽）内の浴湯（又は水）中にフローティングさせる際に、複数のケースのうちで浴湯（又は水）に対する喫水線よりも上方のケースの外周下端部に沿って平板型防水パッキング材を介して照明用のリング状レンズを取り付け、且つ、リング状レンズと複数のケースのうちで喫水線よりも下方のケースとが互いに対向する各外周対向面の内側に形成された各外周内側凹部に沿ってＵ字型防水パッキング材を嵌め込んでいるために、Ｕ字型防水パッキング材によって防水ケース内を確実に防水することができると共に、ＬＥＤから出射された光がリング状レンズを通過することで、防水ケースの外部を照明することができる。
【００１８】
また、請求項３記載の音響再生装置によると、樹脂材を用いて上下方向に少なくとも２つ以上に分割された複数のケースを分離可能に一体的に組み立てた防水ケース内にスピーカユニットを取り付けた状態でこの防水ケースを浴槽（又は水槽）内の浴湯（又は水）中にフローティングさせる際に、複数のケースのうちで浴湯（又は水）に対する喫水線よりも上方のケースの外側を略凸曲面状を形成し、一方、複数のケースのうちで喫水線よりも下方のケースの外側を略円錐状に形成すると共に、略円錐状の外周上方部位とこれより下方の外周下方部位との間を細くくびらせて凹曲面状とし、更に、略円錐状の下端部位を半径が小さい凸曲面状とすることで、浴湯（又は水）中に浸水した下方のケースの高さが高くなり、実質的に喫水距離を大きく設定することができ、これにより音響再生装置を浴槽（又は水槽）内で安定にフローティングさせることができる。
【００１９】
また、請求項４記載の音響再生装置によると、上記した請求項３記載の音響再生装置において、上方のケースの中央頂点部位に連接して凸曲面部を形成する共に、凸曲面部の一部を所定の面積だけ凹ませて操作パネル面を形成し、この操作パネル面上の操作パネルを覆う操作パネルカバーを凸曲面部と略同じ曲率で開閉自在に取り付けたために、上方のケースの外観形状を損なうことなく、操作パネルを操作することが可能になる。
【００２０】
また、請求項５記載の音響再生装置によると、上記した請求項４記載の音響再生装置において、操作パネルカバーと操作パネル面とを紐で連結し、且つ、操作パネルカバーの閉蓋時に操作パネルカバーを操作パネル面側に磁気吸着させているので、操作パネルカバーを開蓋した時に紐により操作パネルカバーが上方のケースから脱落するのを防止され、且つ、操作パネルカバーを閉蓋した時に操作パネルカバーを上方のケースの操作パネル面側に確実に磁気吸着することができる。
【００２１】
また、請求項６記載の音響再生装置によると、防水ケース内にスピーカユニットを取り付けて、浴槽（又は水槽）内にフローティングさせながらスピーカユニットを介して音楽を再生する際、ディジタルオーディオデータがＵＳＢ端子を介してメモリに格納されるようになっているので、従来例で説明したような重量のある信号入力装置が必要ないので、音響再生装置を小型軽量化することができる。
【００２２】
更に、請求項７記載の音響再生装置によると、上記した請求項１〜請求項６のうちいずれか１項記載の音響再生装置において、防水ケースの下方部位を付属のスタンドに支持させて、室内で使用可能にしたために、音響再生装置は浴槽（又は水槽）内での使用と室内での使用とを兼務できる。
【発明を実施するための最良の形態】
【００２３】
以下に本発明に係る音響再生装置の一実施例について図１〜図１０を参照して詳細に説明する。
【実施例】
【００２４】
図１は本発明に係る音響再生装置を浴槽内にフローティングさせて使用する使用形態を模式的に示した図、
図２（ａ），（ｂ）は本発明に係る音響再生装置を付属のスタンドに支持させて室内で使用する使用形態を模式的に示した図、
図３は本発明に係る音響再生装置の外観形状を示した斜視図であり、（ａ）は正面から見た図，（ｂ）は斜めから見た図，（ｃ）は上方から見た図である。
【００２５】
図１に示した如く、本発明に係る音響再生装置１０は、防水ケース１１が樹脂材を用いて上ケース１２と、中ケース１３と、下ケース１４とに３分割して成形されており、後述する操作パネルカバー１８を取り付けた上ケース１２と、後述するリング状レンズ３５を外周部位に取り付けた中ケース１３とをネジにより締結した後に、中ケース１３側を下ケース１４内に螺合させることで防水ケース１１が分離可能に一体的に組み立てられている。
【００２６】
尚、図１中において、本発明に係る音響再生装置１０の外形寸法は、浴室１内に設けられた浴槽（又は水槽）２に対して摸式的に拡大して示した図であり、この外形寸法については後で述べる。
【００２７】
そして、防水ケース１１のうちで外側を略凸曲面状に形成した上ケース１２内の中央部位にスピーカユニット１５を取り付けた状態で、浴室１内に設けられた浴槽（又は水槽）２内の浴湯（又は水）３中にフローティングさせながらスピーカユニット１５から出力させた音楽を入浴者４がリラックスして聴く使用形態と、図２（ａ），（ｂ）に示したように本発明に係る音響再生装置１０の防水ケース１１のうちで外側を略円錐状に形成した下ケース１４を付属のスタンド５０に支持させながらスピーカユニット１５から出力させた音楽を不図示の使用者が室内でリラックスして聴く使用形態と、を兼務できるようになっている。
【００２８】
尚、図２（ａ），（ｂ）にそれぞれ示した付属のスタンド５０は、鼓状に形成した外周部５０ａの内部５０ｂが中空になっており、この外周部５０の一端側に小径孔５０ｃが開口され、且つ、他端側に大径孔５０ｄが開口されているものである。
【００２９】
これに伴って、図２（ａ）に示した使用状態は、本発明に係る音響再生装置１０の防水ケース１１のうちで外側を略円錐状に形成した下ケース１４を付属のスタンド５０の小径孔５０ｃ内に挿入して支持させたものである。
【００３０】
一方、図２（ｂ）に示した使用状態は、図２（ａ）に示した状態からスタンド５０の上下を反転させて本発明に係る音響再生装置１０の防水ケース１１のうちで外側を略円錐状に形成した下ケース１４を付属のスタンド５０の大径孔５０ｄ内に挿入して支持させたものである。
【００３１】
従って、本発明に係る音響再生装置１０を室内で使用する場合には、図２（ａ）に示した使用形態、又は、図２（ｂ）に示した使用形態のいずれか一方を適用すれば良いものである。
【００３２】
ここで、本発明に係る音響再生装置１０の外観形状を図３（ａ）〜（ｃ）に示すと、防水ケース１１のうちで外側を略凸曲面状に形成した上ケース１２が最大外径寸法φＤを有しており、この最大外径寸法φＤが略Φ１１９ｍｍに設定され、且つ、上ケース１２の最高点から下ケース１４の最下点までの全体の高さ寸法Ｈ１が略８９ｍｍに設定されており、且つ、全体の重量は後述するように下ケース１４内に電源となる単三電池３０（図５）を４個内蔵した状態で略３５０ｇ程度になっている。
【００３３】
更に、防水ケース１１のうちで上ケース１２と下ケース１４とが接合するリング状レンズ３５の近傍が図１に示した浴湯（又は水）３に対する喫水線の位置となるので、浴湯面（又は水面）から下ケース１４の最下点までの喫水距離Ｈ２は下ケース１４の高さと略等しくて略６５ｍｍに設定されている。
【００３４】
この際、防水ケース１１のうちで下ケース１４内を中空にして空気層とすることで、音響再生装置１０を浴槽（又は水槽）２（図１）内でフローティングさせているが、安定にフローティングさせるには上記した喫水距離Ｈ２を大きく設定する必要がある。
【００３５】
そこで、この実施例では、防水ケース１１のうちで下ケース１４の外側の外周部位１４ａを略円錐状に形成すると共に、略円錐状の外周部位１４ａのうちで喫水線側の外周上方部位とこれより下方の外周下方部位との間を細くくびらせて凹曲面状とし、更に、略円錐状の外周部位１４ａのうちで下端部位１４ｂを半径が小さい凸曲面状とすることで、浴湯（又は水）３中に浸水した下ケース１４の高さが高くなり、実質的に喫水距離Ｈ２を大きく設定することができ、これにより音響再生装置１０を浴槽（又は水槽）２内で安定にフローティングさせることができる。
【００３６】
次に、本発明に係る音響再生装置１０の機構部材について、図４〜図８を用いて説明する。
【００３７】
図４は本発明に係る音響再生装置を分解して示した分解斜視図、
図５は本発明に係る音響再生装置を断面して示した縦断面図、
図６は本発明に係る音響再生装置を図５に対して直角に断面して示した縦断面図、
図７は本発明に係る音響再生装置において、上ケースの操作パネル面の近傍及び操作パネルカバーを拡大して示した斜視図、
図８は本発明に係る音響再生装置において、ゴム製の平板型防水パッキング材の近傍及びＵ字型防水パッキング材の近傍を拡大して示した縦断面図である。
【００３８】
図４〜図６に示した如く、防水ケース１１のうちで上ケース１２は、後述するようにプリント配線基板２３の下面２３ｂに取り付けたＬＥＤ３３（図６のみ図示）から出射された青色の光がほんのりと見えるように乳白色の樹脂材を用いて形成されている。
【００３９】
また、上ケース１２の外側は略凸曲面状に形成されており、具体的には中央頂点部位１２ａがこの裏面にスピーカユニット１５の上面を接着剤を介して固着させるために略平坦に形成され、且つ、中央頂点部位１２ａに連接して下方に向かって凸曲面部１２ｂが形成されていると共に、凸曲面部１２ｂの一部を所定の面積だけ凹ませた操作パネル面１２ｃが平坦に形成されている。更に、上ケース１２の凸曲面部１２ｂ中で操作パネル面１２ｃの略中央部位に後述する操作パネルカバー１８を開ける際に使用者の爪が入り込む爪用凹部１２ｄが凹状に形成されている。
【００４０】
この際、上ケース１２の中央頂点部位１２ａの裏面に固着されるスピーカユニット１５は、Ｎｅｗ  Ｔｒａｎｓｄｕｃｅｒ  Ｌｉｍｉｔｅｄ社のフラットパネルスピーカ技術を採用したものであり、スピーカユニット１５を上ケース１２の中央頂点部位１２ａの裏面に固着した時に、上ケース１２全体が振動板として機能している。また、スピーカユニット１５の下面にはクッション材１６が接着されて、このクッション材１６がこの下方に配設されるプリント配線基板２３に対する緩衝材となっている。
【００４１】
尚、この実施例では、スピーカユニット１５がＮｅｗ  Ｔｒａｎｓｄｕｃｅｒ  Ｌｉｍｉｔｅｄ社のフラットパネルスピーカ技術を採用したものであるが、これに限定されることなく、振動板を有する周知のスピーカユニットを上ケース１２内に取り付けることも可能である。
【００４２】
また、上ケース１２の操作パネル面１２ｃ上には、メンブレンシートを用いて形成した複数の操作釦１７ａを有する操作パネル１７が接着剤を用いて固着されている。この際、複数の操作釦１７ａは上ケース１２の操作パネル面１２ｃから下方に向かって突出形成した複数のノブ釦用１２ｃ１（図５に１個のみ図示）を介して後述するプリント配線基板２３上に設けた複数の操作スイッチ３１（図５に１個のみ図示）を押圧するようになっている。
【００４３】
更に、上ケース１２の操作パネル面１２ｃの上方には、操作パネルカバー１８が上ケース１２の凸曲面部１２ｂと同じ曲率に形成されて操作パネル面１２ｃを覆うように開閉自在に取り付けられており、この操作パネルカバー１８を取り付けた時に操作パネルカバー１８が上ケース１２の凸曲面部１２ｂと一体的になって外観を形成している。これにより、
上ケース１２の外観形状を損なうことなく、操作パネル１７を操作することが可能になる。
【００４４】
この際、上ケース１２の操作パネル面１２ｃの近傍及び操作パネルカバー１８を図７に拡大して示すと、操作パネル１７上に設けた複数の操作釦１７ａは、操作パネル１７の中央に配置したＰＯＷＥＲ釦１７ａ１と、操作パネル１７の左側に配置した選曲釦１７ａ２，１７ａ３と、操作パネル１７の右側に配置したＶＯＬ釦１７ａ４，１７ａ５とからなる。
【００４５】
また、上ケース１２の操作パネル面１２ｃ上に設けたボス１２ｃ２と、操作パネルカバー１８の裏面に設けたボス１８ａとの間にビニル紐１９が掛け渡されており、操作パネルカバー１８を開蓋した時にビニル紐１９により操作パネルカバー１８が上ケース１２から脱落するのを防止されている。
【００４６】
また、上ケース１２の操作パネル面１２ｃ上に接着した操作パネル１７の長手方向の左右裏面側で操作パネル面１２ｃの長手方向の左右に一対の第１マグネット２０が埋め込まれていると共に、操作パネルカバー１８の長手方向の左右裏面に一対の第２マグネット２１を埋め込んだ一対の防水ゴム２２が固着されているので、操作パネルカバー１８を閉蓋した時に操作パネルカバー１８は第１，第２マグネット２０，２１の磁気吸引力により上ケース１２の操作パネル面１２ｃ側に押圧されて確実に磁気吸着されている。
【００４７】
図４〜図６に戻り、上ケース１２と中ケース１３との間に大径に形成されたプリント配線基板２３が介装されており、且つ、このプリント配線基板２３の上面２３ａに例えば２５６Ｍバイトのメモリ２４と後述するＤＳＰ部７０（図９）とを取り付けた小型のメモリ基板２５が２本のネジ２６を用いてプリント配線基板２３と一体に中ケース１３上に取り付けられている。この際、小型のメモリ基板２５をコネクタ接続によりプリント配線基板２３とは別体に設けることで、メモリ２４の容量を容易に変更できるようになっている。
【００４８】
尚、メモリ２４の容量を２５６Ｍバイトとした場合に、音楽の１曲が例えば４分であれば最大１２０曲程度格納することができる。
【００４９】
また、プリント配線基板２３の上面２３ａの中央部位には、上ケース１２内に固着させたスピーカユニット１５の外周部位を補助的に支持するためのクッション材２７を貼り付けたブラケット２８が３箇取り付けられており、これにより、音響再生装置１０を不用意に落下させてもスピーカユニット１５が上ケース１２内から脱落しないように防止されている。
【００５０】
また、プリント配線基板２３の下面２３ｂの中央部位には、中ケース１３に内蔵した合計４個の単三電池３０（図５，図６のみ図示）に接続するための電池端子２７が半田付けされ、且つ、プリント配線基板２３の下面２３ｂの図示左方にＵＳＢ（Ｕｎｉｖｅｒａｌ  Ｓｅｒｉａｌ  Ｂｕｓ）規格に基づくＵＳＢ端子３２（図５のみ図示）が半田付けされていると共に、プリント配線基板２３の下面２３ｂの中間部円周に沿って略均等に３分割した部位に３箇のＬＥＤ３３（図６に１個のみ図示）が半田付けされている。
【００５１】
この際、後述するようにＰＣ（パソコン）からのディジタルオーディオデータがＵＳＢ端子３２を介して上記したメモリ２４に格納されるようになっているので、従来例で説明したような重量のある信号入力装置が必要ないので、音響再生装置１０を小型軽量化することができる。
【００５２】
次に、中ケース１３は、樹脂材を用いて上方部位に大径凹部１３ａが略円板凹状に形成されてこの大径凹部１３ａ内にプリント配線基板２３が取り付けられるようになっていると共に、大径凹部１３ａの中央部位に４個の単三電池３０（図５，図６）を収納する電池収納部１３ｂが形成されている。
【００５３】
また、中ケース１３の電池収納部１３ｂの外周部位は、大径凹部１３ａより小径な小径円筒部１３ｃとして円筒状に形成されていると共に、小円筒径部１３ｃの下端に下ケース１４内の下方に形成した雌ネジ１４ｄと螺合するための雄ネジ１３ｄが形成されている。
【００５４】
また、中ケース１３の大径凹部１３ａの外周部位には、中ケース１３の小径円筒部１３ｃを通過させて下方から透明な樹脂材を用いて形成した照明用のリング状レンズ３５が嵌め込まれており、このリング状レンズ３５の外径寸法は先に説明した上ケース１２の最大外径寸法φＤ（図３）と略等しく設定されている。
【００５５】
また、リング状レンズ３５の上方の外周内側凹部３５ａ内にゴム製の平板型防水パッキング材３４が嵌め込まれている。
【００５６】
そして、中ケース１３の大径凹部１３ａ内にプリント配線基板２３を取り付けて、このプリント配線基板２３の下面２３ｂに取り付けたＵＳＢ端子３２を中ケース１３の大径凹部１３ａに形成した角孔１３ｅ内に臨ませた上で、中ケース１３の大径凹部１３ａの外周部位にリング状レンズ３５を取り付けて、リング状レンズ３５の上方側に平板型防水パッキング材３４を嵌め込んだ後に、下方から複数本（例えば４本）のネジ３６を用いて中ケース１３と、この中ケース１３に嵌め込んだリング状レンズ３５とを上ケース１２の裏面に形成した複数本（例えば４本）のボス１２ｅに固着させている。
【００５７】
更に、中ケース１３の小径円筒部１３ｃの下端には、ターミナルボード３７内に電池端子３８を挿入した電池カバー３９が着脱自在に取り付けられており、この電池カバー３９を外して４個の単三電池３０を電池収納部１３ｂ内に収納するようになっている。
【００５８】
この際、図６に示したように、中ケース１３の大径凹部１３ａ内にプリント配線基板２３が取り付けられた状態で、このプリント配線基板２３の下面２３ｂに円周を３等分して半田付けした３個のＬＥＤ３３から出射された青色の光が大径凹部１３ａ内を乱反射して一部外周に向かいながらこの大径凹部１３ａの外周部位に取り付けた透明なリング状レンズ３５を通って外部に向かって照明されると共に、乱反射した残りの青色の光はプリント配線基板２３に貫通して形成した長孔２３ｃを通過して上方の上ケース１２内に進入するので、乳白色の上ケース１２が青色の光によってほんのりと照明されるようになっている。
【００５９】
次に、下ケース１４は、上ケース１２と同じ乳白色の樹脂材を用いて外側が略円錐状に形成されており、最大外径寸法が先に説明した上ケース１２の最大外径寸法φＤ（図３）と略等しく設定されている。
【００６０】
また、下ケース１４は、前述したように、下ケース１４の外周部位１４ａを凹曲面にくびらせ且つ下端部位１４ｂを半径が小さい凸曲面に形成し、更に、上方の外周内側凹部１４ｃ内にゴム製のＵ字型防水パッキング材４０が嵌め込まれるようになっていると共に、内部を中空に形成してこの内部の中央部位下方に前述した雌ネジ１４ｄが形成されている。
【００６１】
そして、下ケース１４のちで上方の外周内側凹部１４ｃ内にＵ字型防水パッキング材４０を嵌め込んだ状態から、上ケース１２と中ケース１３とを結合させた中ケース１３側を下ケース１４内に挿入させて、中ケース１３の小径円筒部１３ｃの下端に形成した雄ネジ１３ｄを下ケース１４内に形成した雌ネジ１４ｄに螺合させることで、本発明に係る音響再生装置１０の組み立てが完了する。
【００６２】
ここで、音響再生装置１０の組み立てが完了した後に、この音響再生装置１０を浴槽（又は水槽）２内の浴湯（又は水）３に対してフローティングさせる際に、防水性を高めるための平板型防水パッキング材３４及びＵ字型防水パッキング材４０について図８を用いて説明する。
【００６３】
図８に拡大して示した如く、防水ケース１１は、上ケース１２と、中ケース１３の外周部位に取り付けたリング状レンズ３５とが前述したように締結されて、上ケース１２の外周部下端とリング状レンズ３５の外周部上端とが互いに対向して略密着している。
【００６４】
一方、リング状レンズ３５の外周下端と下ケース１４の外周上端とが互いに対向する各外周対向面の間には、浴湯（又は水）３が内部に侵入するための僅かな隙間Ｓが円周に沿って形成されている。
【００６５】
まず、ゴム製の平板型防水パッキング材３４は、上ケース１２と中ケース１３の外周部位に取り付けたリング状レンズ３５とが互いに対向する各外周対向面の内側に形成した各外周内側凹部１２ｆ，３５ａ内にリング状に嵌め込まれている。
【００６６】
即ち、中ケース１３の外周部位に取り付けたリング状レンズ３５のうちで上方の外周内側凹部３５ａ内に嵌め込んだゴム製の平板型防水パッキング材３４は、リング状レンズ３５の上方の外周内側凹部３５ａに沿ってリング状に形成され、且つ、平板状に形成されている。
【００６７】
そして、リング状レンズ３５の上方に上ケース１２を接合させ時に、平板型防水パッキング材３４は上ケース１２のうちで下方の外周内側凹部１２ｆ内に嵌め込まれる。
【００６８】
この際、リング状レンズ３５の上方の外周内側凹部３５ａ内には平板型防水パッキング材３４に喰い込むための凸部３５ａ１が上方に向かって突出形成されており、一方、上ケース１２の下方の外周内側凹部１２ｆ内にも平板型防水パッキング材３４に喰い込むための凸部１２ｆが下方に向かって２箇所突出形成されているので、各凸部３５ａ１，１２ｆ１によって平板型防水パッキング材３４が押しつぶされるので上ケース１２とリング状レンズ３５との間で防水性を高めることができるために、音響再生装置１０の信頼性を向上させることができる。
【００６９】
次に、ゴム製のＵ字板型防水パッキング材４０は、中ケース１３の外周部位に取り付けたリング状レンズ３５と下ケース１４とが互いに対向する各外周対向面の内側に形成した各外周内側凹部３５ｂ，１４ｃ内にリング状に嵌め込まれている。
【００７０】
即ち、下ケース１４のうちで上方の外周内側凹部１４ｃ内に嵌め込んだゴム製のＵ字型防水パッキング材４０は、下ケース１４の外周内側凹部１４ｃに沿ってリング状に形成された嵌着部４０ａと、この嵌着部４０ａの上方に連接され且つリング状レンズ３５と下ケース１４とが接合する外周部位に形成された隙間Ｓに向かってＵ字状に形成されて隙間Ｓから侵入した浴湯（又は水）３の圧力によって弾性変位するＵ字部４０ｂとで一体的に構成されている。
【００７１】
そして、下ケース１４の上方にリング状レンズ３５を接合させた時に、Ｕ字型防水パッキング材４０のＵ字部４０ｂがリング状レンズ３５のうちで下方の外周内側凹部３５ｂ内に嵌め込まれる。
【００７２】
従って、使用者が音響再生装置１０を浴湯（又は水）３内に故意に沈めた場合に、上記した隙間Ｓから浴湯（又は水）３がＵ字型防水パッキング材４０のＵ字部４０ｂ内に侵入するので、この浴湯（又は水）３の圧力がＵ字部４０ｂに加わって、ゴム製のＵ字部４０ｂがリング状レンズ３５の下方の外周内側凹部３５ｂ及び下ケース１４の外周内側凹部１４ｃに密着するように弾性変位するので、リング状レンズ３５と下ケース１４との間で防水性を高めることができるために、音響再生装置１０の信頼性を向上させることができる。
【００７３】
次に、本発明に係る音響再生装置１０の電気的構成部材について図９を用いて説明する。
【００７４】
図９は本発明に係る音響再生装置を示したブロック図である。
【００７５】
図９に示した如く、本発明に係る音響再生装置１０では、ＰＣ（パソコン）６０側に設けたＵＳＢ端子６１と、音響再生装置１０内のプリント配線基板２３（図５）に取り付けたＵＳＢ端子３２との間にＵＳＢケーブル６２を接続することで、ＰＣ（パソコン）６０側から出力されたディジタルオーディオデータをＵＳＢ（Ｕｎｉｖｅｒａｌ  Ｓｅｒｉａｌ  Ｂｕｓ）規格に基づいて音響再生装置１０内に取り込むように構成されている。
【００７６】
尚、ＵＳＢケーブル６２を音響再生装置１０内のプリント配線基板２３（図５）に取り付けたＵＳＢ端子３２に接続する際には、上ケース１２と中ケース１３とを結合させたまま、中ケース１３側を下ケース１４から取り外すことで可能になる。
【００７７】
この音響再生装置１０内には、ＰＣ（パソコン）６０側から出力されたディジタルオーディオデータを信号処理するＤＳＰ（Ｄｉｇｉｔａｌ  Ｓｉｇｎａｌ  Ｐｒｏｃｅｓｓｏｒ）部７０が設けられており、このＤＳＰ部７０はＵＳＢコントローラ７１，ＣＰＵ７２，圧縮音声デコーダ７３，２個のＤ／Ａ変換器７４，２個のアンプ７５から構成されている。
【００７８】
また、４個の単三電池からなる電源３０が操作パネル１７に設けた複数の操作釦１７ａ（１７ａ１〜１７ａ５）のうちでＰＯＷＥＲ釦１７ａ１に接続されていると共に、ＤＳＰ部７０内のＣＰＵ７２に接続されている。
【００７９】
ここで、ＰＯＷＥＲ釦１７ａ１をＯＮ操作すると電源３０が立ち上がり、ＣＰＵ７２に電源が供給された後に、このＣＰＵ７２から電源供給を持続させる電源持続用制御信号が電源３０に送られるのでＰＯＷＥＲ釦１７ａ１がＯＦＦ操作されるまで電源を持続させることができるので、ＤＳＰ部７０の動作が可能になる。
【００８０】
そして、ＰＣ（パソコン）６０側から出力されたディジタルオーディオデータが音響再生装置１０内のＵＳＢ端子３２を介してＤＳＰ部７０内のＵＳＢコントローラ７１に入力されると、ＣＰＵ７２はこのディジタルオーディオデータをプリント配線基板２３上のメモリ基板２５（図３）に取り付けた例えば２５６Ｍバイトのメモリ２４に格納する。
【００８１】
この後、使用者が音楽を再生したい場合には、複数の操作釦１７ａのうちで選曲釦１７ａ２又は１７ａ３と、ＶＯＬ釦１７ａ４又は１７ａ５とを適宜操作することで、メモリ２４に格納したディジタルオーディオデータがＣＰＵ７２を介して圧縮音声デコーダ７３に入力されてこの内部で左右のディジタルオーディオデータが信号処理された後に、２個のＤ／Ａ変換器７４により左右のアナログオーディオデータに変換され、更に、２個のアンプ７５と２個の抵抗７６を通過した後に左右を合成させた合成アナログオーディオデータをアンプ７７を介して上ケース１２（図１〜図５）内に取り付けたスピーカユニット１５に印加して、合成アナログオーディオデータをスピーカユニット１５から外部に拡声させている。
【００８２】
また、ＣＰＵ７２から電源持続用制御信号が電源３０に送られた時に、ＣＰＵ７２は電子スイッチ７８をＯＮ動作させて電源３０を上記したアンプ７７とイルミネーション回路７９とに接続させている。
【００８３】
上記したイルミネーション回路７９では、電源３０から供給された電流を例えば周期的な正弦波電流に変換し、この正弦波電流を３個の抵抗８０を介してプリント配線基板２３（図６）に取り付けた３個のＬＥＤ３３（図６）にそれぞれ印加しているので、３個のＬＥＤ３３は正弦波電流に応じて徐々に点灯させるフェードイン動作と、徐々に消灯させるフェードアウト動作とにより光量を周期的に変化させながら青色の光を出射するので、リラックスできる照明光となる。
【００８４】
次に、本発明に係る音響再生装置１０を一部変形させた変形例について図１０を用いて簡略に説明する。
【００８５】
図１０は本発明に係る音響再生装置を一部変形させた変形例の音響再生装置を断面して示した縦断面図である。
【００８６】
尚、先に説明した実施例の音響再生装置１０の構成部材と同一の構成部材に対しては同一の符号を付し、且つ、先に示した構成部材は必要に応じて適宜説明し、異なる構成部材に新たな符号を付して説明する
図１０に示した如く、変形例の音響再生装置１０’では、防水ケース１１’を上ケース１２’と下ケース１４’とに２分割して形成したものであり、且つ、上ケース１２’と下ケース１４’とを分離可能に一体的に組み立てる際に、両ケース１２’，１４’の互いに対向する各外周対向面の内側に形成した各外周内側凹部１２ｆ，１４ｃ内にＵ字型防水パッキング４０’をリング状に嵌め込んでいる。
【００８７】
この変形例では、上ケース１２’内にスピーカユニット１５を固着させ、且つ、プリント配線基板２３を上ケース１２’内に設けた複数のボス１２ｅに複数のネジを用いて取り付けている。
【００８８】
この際、実施例とは異なって、中ケース及びリング状レンズを採用していないために、４個の単三電池３０を収納するための電池ケース４１を接着剤又はネジとナットなどを用いてプリント配線基板２３の中央部位に固着させている。
【００８９】
上記した電池ケース４１は、プリント配線基板２３に取り付けるための大径部４１ａと、４個の単三電池３０を収納するための電池収納部４１ｂと、電池収納部４１ｂの外周部位で大径部４１ａより小径な小径円筒部４１ｃとからなり、小径円筒部４１ｃの下端に下ケース１４’内の下方に形成した雌ネジ１４ｄと螺合するための雄ネジ４１ｄが形成されている。
【００９０】
また、プリント配線基板２３’の上面２３には、ディジタルオーディオデータを格納するためのメモリ２４及び上ケース１２’を照明するための複数のＬＥＤ３３が半田付けされている一方、下面２３ｂにＵＳＢ端子３２が取り付けられている。
【００９１】
また、下ケース１４’のうちで上方の外周内側凹部１４ｃ内にＵ字型防水パッキング４０’の嵌着部４０ａが嵌め込まれている。
【００９２】
そして、プリント配線基板２３を取り付けた上ケース１２’を下ケース１４’に結合させる時には、下ケース１４’の上方の外周内側凹部１４ｃ内にＵ字型防水パッキング４０’の嵌着部４０ａを嵌め込んだ後に、プリント配線基板２３に固着させた電池ケース４１の小径円筒部４１ｃの下端に形成した雄ネジ４１ｄを下ケース１４’内の下方に形成した雌ネジ１４ｄに螺合させると、Ｕ字型防水パッキング４０’のＵ字部４０ｂが上ケース１２’のうちで外周内側凹部１２ｆ内に嵌め込まれると共に、上ケース１２’の下方の凸曲面部１２ｂの下端外周部位と下ケース１４’の上端外周部位との間に僅かな隙間Ｓが形成される。
【００９３】
従って、先に図８に説明したと同様に、使用者が音響再生装置１０’を浴湯（又は水）３内に故意に沈めた場合に、隙間Ｓから浴湯（又は水）３がＵ字型防水パッキング材４０’のＵ字部４０ｂ内に侵入するので、この浴湯（又は水）３の圧力がＵ字型防水パッキング材４０’のＵ字部４０ｂに加わって、ゴム製のＵ字型防水パッキング材４０’のＵ字部４０ｂが上ケース１２’の下方の外周内側凹部１２ｆ及び下ケース１４’の外周内側凹部１４ｃに密着するように弾性変位するので、上ケース１２’と下ケース１４’との間で防水性を高めることができるために、音響再生装置１０’の信頼性を向上させることができる。
【００９４】
尚、変形例の音響再生装置１０’において、図示を省略するものの、上ケース１２’の下端部に沿って平板型防水パッキング材を介して照明用のリング状レンズを取り付けても良く、この場合には、複数のＬＥＤ３３をプリント配線基板２３’の下面２３ｂに取り付けると共に、照明用のリング状レンズと下ケース１４’との間にＵ字型防水パッキング材を嵌め込めば良いものである。
【００９５】
以上詳述したように、本発明における基本構成は、樹脂材を用いて上下方向に少なくとも２つ以上に分割された複数のケースが分離可能に一体的に組み立てられた際に浴槽（又は水槽）内の浴湯（又は水）中にフローティング可能とされた防水ケース内にスピーカユニットを取り付けて、複数のケースのうちで互いに対向する各ケースの各対向面側の外周内側に形成された各外周内側凹部に沿って防水パッキング材を嵌め込んで防水ケース内を防水する形態を採用し、且つ、浴湯（又は水）に対する喫水線より上方のケースと喫水線より下方のケースとに少なくとも分割されているものである。
【００９６】
従って、実施例の音響再生装置１０では、喫水線よりも上方のケースは上ケース１２と中ケース１３に取り付けられたリング状レンズ３５とからなり、一方、喫水線よりも下方のケースは下ケース１４である。
【００９７】
また、変形例の音響再生装置１０’では、喫水線よりも上方のケースは上ケース１２’であり、一方、喫水線よりも下方のケースは下ケース１４’である。
【００９８】
この際、実施例の音響再生装置１０及び変形例の音響再生装置１０’において、少なくとも２つ以上に分割された複数のケースが分離可能に一体的に組み立てられた防水ケース中で喫水線の近傍をゴム製の防水パッキング材により防水する場合に、ゴム製の防水パッキング材はＵ字型防水パッキング材を採用することで防水ケース内の防水性を高めることができる。
【図面の簡単な説明】
【００９９】
【図１】本発明に係る音響再生装置を浴槽内にフローティングさせて使用する使用形態を模式的に示した図である。
【図２】（ａ），（ｂ）は本発明に係る音響再生装置を付属のスタンドに支持させて室内で使用する使用形態を模式的に示した図である。
【図３】本発明に係る音響再生装置の外観形状を示した斜視図であり、（ａ）は正面から見た図，（ｂ）は斜めから見た図，（ｃ）は上方から見た図である。
【図４】本発明に係る音響再生装置を分解して示した分解斜視図である。
【図５】本発明に係る音響再生装置を断面して示した縦断面図である。
【図６】本発明に係る音響再生装置を図５に対して直角に断面して示した縦断面図である。
【図７】本発明に係る音響再生装置において、上ケースの操作パネル面の近傍及び操作パネルカバーを拡大して示した斜視図である。
【図８】本発明に係る音響再生装置において、ゴム製の平板型防水パッキング材の近傍及びＵ字型防水パッキング材の近傍を拡大して示した縦断面図である。
【図９】本発明に係る音響再生装置を示したブロック図である。
【図１０】本発明に係る音響再生装置を一部変形させた変形例の音響再生装置を断面して示した縦断面図である。
【符号の説明】
【０１００】
１０…実施例の音響再生装置、
１０’…変形例の音響再生装置、
１１…実施例の防水ケース、１１’…変形例の防水ケース、
１２…実施例の上ケース、１２’…変形例の上ケース、１２ｆ…外周内側凹部、
１３…実施例の中ケース、
１４…実施例の下ケース、１４’…変形例の下ケース、１４ｃ…外周内側凹部、
１５…スピーカユニット、１７…操作パネル、１７ａ…操作釦、
１８…操作パネルカバー、
２０…一対の第１マグネット、２１…一対の第２マグネット、２２…一対の防水ゴム、
２３…プリント配線基板、２４…メモリ、２５…メモリ基板、
３０…単三電池（電源）、３１…操作スイッチ、３２…ＵＳＢ端子、３３…ＬＥＤ、
３４…平板型防水パッキング材、
３５…リング状レンズ、３５ａ，３５ｂ…外周内側凹部、３９…電池カバー、
４０…実施例のＵ字型防水パッキング材、
４０’…変形例のＵ字型防水パッキング材、
４０ａ…嵌着部、４０ｂ…Ｕ字部、
７０…ＤＳＰ部、７１…ＵＳＢコントローラ、７２…ＣＰＵ、７３…圧縮音声デコーダ、
７４…Ｄ／Ａ変換器、７５，７７…アンプ、
７８…電子スイッチ、７９…イルミネーション回路。
【図１】
2008160378.tif 000003
【図２】
2008160378.tif 000004
【図３】
2008160378.tif 000005
【図４】
2008160378.tif 000006
【図５】
2008160378.tif 000007
【図６】
2008160378.tif 000008
【図７】
2008160378.tif 000009
【図８】
2008160378.tif 000010
【図９】
2008160378.tif 000011
【図１０】
2008160378.tif 000012